Podtech/llm-jp-corpus-v4-ja_patent huggingface dataset:
(57)【要約】【課題】  家庭や飲食店向けに販売される味付け茸に関し、海産物及び果実類が添加されている味付け茸を提供する。【解決手段】  容器１と、調味料によって味付けされた味付け茸３と、味付け茸に浸漬された海産物及び果実類２を漬け込み又は混合するようにしたものである。又、前記海産物がかつお節、又は昆布であるようにしたものである。さらに、前記果実類は柚の皮であるようにしたものである。【選択図】図１
0003119311.tif 000002
【実用新案登録請求の範囲】
【請求項１】
容器（１）内に封入された味付け茸（３）と、味付け茸内に浸漬された海産物及び果実類（２）とを漬け込み又は混合するようにしたことを特徴とする味付け茸。
【請求項２】
前記海産物が所定寸法に切断された乾燥昆布又はかつお節であることを特徴とする請求項１記載の味付け茸。
【請求項３】
前記果実類が所定寸法に切断された柚の皮であることを特徴とする請求項１又は２に記載の味付け茸。
【考案の詳細な説明】
【技術分野】
【０００１】この考案は、味付け茸として用いる茸に関するもので、家庭や飲食店等に店頭及び業務用販売される味付け茸に関するものである。
【背景技術】
【０００２】従来の味付け茸は親しまれている惣菜である。食文化の多様化と共に、種々の風味を有する味付け茸が提供されるようになってきている。しかしながら、味付け茸の色がにごり、香気が引き立たなくなる欠点を有している。味付け茸の製造において、昆布やかつお節に含まれているグルタミン酸ソーダなどの調味成分や柑橘類に含まれている酸の代用である醸造酢を添加して、風味を向上させることは、広く行われている。
【考案の開示】
【考案が解決しようとする課題】
【０００３】昆布やかつお節、柚の皮は食品の味と香りを引き立てることは、広く知られている。家庭で味付け茸をつくるために昆布やかつお節を用いることは、面倒でないにしても、出し汁をとり、加えても味覚や風味に欠け、たくさんの量を用いなければならない。又、柚の果汁や皮等は常備できないことが往々にある。又、料理の過程において香気や風味が欠けて、たくさんの量の果汁を用いなければならない。それに味付け茸の色が濁り、香気が引き立たなくなる欠点を有している。
【課題を解決するための手段】
【０００４】容器（１）内に封入された味付け茸（３）と、味付け茸内に浸漬された海産物及び果実類（２）とを漬け込み又は混合するようにしたものである。又、前記海産物が所定寸法に切断された乾燥昆布又はかつお節であるようにしたものである。又、前記果実類が所定寸法に切断された柚の皮であるようにしたものである。【０００５】前述したように、瓶詰め味付け茸に昆布やかつお節、柚の風味を加味したものはあるが、一般的に使用される範囲内での風味の添加に留まっている。そこでこの考案は、昆布の風味やかつお節の風味や柚の風味を味付け茸で楽しみたい時に、例えば、料理の品として家庭や飲食店で食べたる場合に使用する味付け茸であって、海産物及び果実類を漬け込み又は混合することにより前記課題を解消できる
【考案の効果】
【０００６】この考案の味付け茸は、味付け茸の中に海産物叉は果実類がそのまま浸漬されているため、海産物の持つ風味や旨味、果実類の持つ酸味や香気が、持続的に味付け茸内に浸出し料理の品として簡単に味付け茸の昆布、かつお節及び柚の風味を味わうことができる。
又、容器内から味付け茸を取り出す時に、かつお節、昆布その他の海産物及び柚の皮その他の果実類が浸漬去れているのが視認でき、浸漬された海産物、果実類は味が染み込み食べることができるため無駄にならない。
【考案を実地するための最良の形態】
【０００７】海産物としては、昆布、わかめ、海苔、かつお節、鯖節、するめ等の種々のものが使用可能であるが、風味の点で昆布とかつお節特に乾燥した昆布とかつお節が最も適しており、味付けした茸を容器に入れ、挿入ないし封入しやすい大きさに切断して容器口から適宜個数を容器内に入れて密閉する。海産物を後に入れた方が製造時の扱いが容易である。又、果実類は、柚、すだち、檸檬、柿等の種々のものが可能であるが、風味の点で、柚の皮、特に、生、及び冷凍の柚の皮が最も適しており、味付けした茸を容器に入れ、挿入ないし封入しやすい大きさに切断して味付けした茸と混合し容器内に入れて密閉する。
【０００８】この考案の味付け茸は、味付け茸の中に海産物及び果実類がそのまま浸漬されているため、海産物の持つ風味や旨味、果実類の持つ風味や香気が、持続的に味付け茸内に浸出し、料理の品として簡単に味付け茸の昆布やかつお節や柚の風味を味わうことができる。また、瓶内から味付け茸を取り出す時に、昆布その他の海藻類及びかつお節その他の魚の削り節及び柚の皮その他の柑橘類の皮が浸漬されているのが、視認でき、味わうことができるため、無駄にならない。
【０００９】以下、図案を参照してこの考案を説明する。従来方法によって製造した味付け茸３を、容器１に詰め、その中に乾燥昆布及び、かつお節及び、柚の皮を所定寸法に切断したもの２を適宜入れて、キャップ４で容器を密閉する。入れる海産物としては、昆布、かつお節が最も好ましいが、わかめやするめ、鯖節など他の海産物を入れることもできる。又、入れる果実類としては、柚の皮が最も好ましいが、すだち、檸檬、柿など他の果実類を入れることもできる。容器は瓶が望ましいが、袋、タッパー、ペット容器等でもよい。
【図面の簡単な説明】
【００１０】
【図１】  この考案の容器詰め味付け茸の製造方法を模式的に示す説明図
【符号の説明】
【００１１】  １  容器
２  かつお節、昆布又は柚の皮
３  調味料で味付けされた茸
４  キャップ
【図１】
0003119311.tif 000003
(57)【要約】      （修正有） 【課題】赤ちゃんや小動物を座布団の対角に切り込みを入れ、取っ手をつける事により簡易に運ぶ事が出来る取っ手付座布団の提供。【解決手段】座布団（１）に切り込み（２）を対角に儲け取っ手をを付け、赤ちゃんや小動物を容易に運べる様にした。【選択図】図１
0003119318.tif 000002
【実用新案登録請求の範囲】
【請求項１】
座布団に運搬し易い様に切り込みを付け赤ちゃん  及び、小動物等を運ぶ時に
運び易くすると共に、切り込み部に物干し竿を通し干しやすくするための物
【考案の詳細な説明】
【技術分野】
【０００１】
本考案は赤ちゃんや、小動物を簡易に運ぶための座布団に関するものである
【背景技術】
【０００２】
赤ちゃんを風呂に運ぶ時に赤ちゃんが裸の為運びにくく、特に首が据わっていない
時などは非常に運び難い
【考案の開示】
【考案が解決しようとする課題】
【０００３】
赤ちゃんを風呂場に運ぶ場合、一人の場合は脱衣場で一度置かなくてはならない。
この場合座布団を敷くことにより安全性が高まると思われる。そこでこの考案により、
運ぶ。  置く。  という作業容易にできると考えられる。
二人で風呂に入る場合でも一度渡すという作業をしなくてはならない。特に裸での受け渡しは非常に滑りやすく、危険を感じることがあるが、この考案により座布団から受け渡しにすると軽減されると考える。
座布団を干す場合は非常に場所をとるが物干し竿に干す事が可能になり干す場所を
あまり必要としなくなる
【課題を解決するための手段】
【０００４】
本考案は座布団の対角に切り込みを入れ持つ所を作る事により、運び易くする。
と同時に切り込みを入れる事により、物干し竿に通す事ができ干す事ができる。
【考案の効果】
【０００５】
座布団に切り込みを入れる事により、持ち易くなり、赤ちゃんや、小動物を安定して運ぶことができる。
干す場所が少なくてすむ。
【考案を実施するための最良の形態】
【０００６】
座布団の対角に切り込みを入れる。
【実施例】
【０００７】
別紙図面（１）座布団に（２）の用に対角に切り込みを入れ、持ち手部をつける。
【図面の簡単な説明】
【０００８】
【図１】取手付座布団の正面図
【符号の説明】
【０００９】
１．座布団本体
２．取っ手部
【図１】
0003119318.tif 000003
(57)【要約】      （修正有）【課題】一部分のみが異なる形状の商品群を効率的に使用できるようにする。【解決手段】建物用妻飾りを、全体形状を形成するベース部と、文字あるいは模様の一部を構成せるプレート部とに分離しておき、使用時に選択し組み合わせる。【選択図】図１
0003119319.tif 000002
【実用新案登録請求の範囲】
【請求項１】
建物の妻部の意匠性を向上させる妻飾りにおいて、妻飾りの全体形状を形成するベース部と、文字あるいは模様の一部分を構成するプレート部とによってなり、ベース部とプレート部をそれぞれ選択して組み合わせることによってなる妻飾り。
【考案の詳細な説明】
【技術分野】
【０００１】
本考案は、建物用妻飾りに関するものである。
【背景技術】
【０００２】
従来より、建物の妻部の意匠性向上のために、デザイン化された動植物などの形状をした妻飾りを建物の妻部壁面にワンポイントとして取り付けることが行われている。
上記妻飾りは、耐候性、外観意匠を考慮して、金属製の鋳物、または発泡ウレタン、ＦＲＰ等の樹脂からなる一体形状のものが多く用いられている。
【０００３】
このような妻飾りの場合、品種と同数のマスター型が必要となり、またマスター型を正確に複製することによって造られることから、部分的に異なっているだけの形状でも新たなマスター型を用意しなければならず、過大な型費がかさんでしまう。
このような一部分のみが異なる形状の複数の妻飾りを商品化しようとする場合、在庫の量と品種を増やすこととなり、在庫商品体積が過大にかさんでしまうおそれがある。
【０００４】
一方、妻飾りはシンプルな形状のものが多く、例えば特許文献１に示すように、それぞれが独自の形状をしており、一部分のみが異なるようなものは、これまでに全く販売されてはいなかった。
【特許文献１】特開２００５−３１４９０５公報
【考案の開示】
【考案が解決しようとする課題】
【０００５】
本考案は、上記現状に鑑みてなされたものであり、一部分のみが異なる形状の商品群を、マスター型費を最小限に抑え、在庫商品体積を極力小さくするように提供することを目的とする。
【課題を解決するための手段】
【０００６】
上記目的を達成するために、本考案は、建物の妻部の意匠性を向上させる妻飾りにおいて、妻飾りの全体形状を形成するベース部と、文字あるいは模様の一部分を構成するプレート部とによってなり、ベース部とプレート部をそれぞれ選択して組み合わせることによってなる妻飾りとなることを特徴としている。上記構成によれば、妻飾りの一部分を構成するプレート部と、妻飾りの全体形状を形成するベース部とを別々に用意しておき、使用する際に両者を選択して組み合わせることで一つの妻飾りとすることができる。
【考案の効果】
【０００７】
また、本考案の妻飾りは一部分を別パーツとしておくことで、マスター型の数、商品在庫の種類及び量に比して商品形態のバリエーションを増やせるという利点がある。
【考案を実施するための最良の形態】
【０００８】
本考案による妻飾りは、文字あるいは模様の一部を構成するプレート部と、全体形状を形成するベース部を使用する際に、好みに応じてそれぞれ選択して組み合わせて留め付ける事で、一つの妻飾りを完成させる。
【実施例１】
【０００９】
図１は、本考案の実施例の説明図である。１はベース部、２はプレート部、３はベース部１にプレート部２を載せてビス留めした状態の妻飾りである。
ベース部１およびプレート部２は金属製の鋳物であって、プレート部２は円盤にイニシャル等のアルファベットの文字形状が打ち抜き又は立体形成されており、ベース部１にはプレート部２の外周形状に合わせた同一平面受け部分があって、プレート部２はベース部１のその受け部分に納まるようになっている。
【００１０】
ベース部１とプレート部２は共に対応する箇所にビス穴を有しており、ビス留めにより固定される。
プレート部２もしくはプレート部２とベース部１が発泡ウレタン、ＦＲＰ等の軽量樹脂であってもよく、その場合は、接着剤を用いて固定してもよい。
【００１１】
ベース部１にプレート部２を固定してから建物の妻部壁面に留め付けても良いし、建物の妻部壁面にベース部１をあらかじめ留め付けておき、後に選択したプレート部２を固定しても良い。
また、プレート部２は直径１０〜５０ｃｍ程度、ベース部１は縦横寸法が１ｍ以下とすることが望ましい。
【００１２】
プレート部は曲面でもよく、文字あるいは模様の形状のみでもよい。ベース部とプレート部の固定部分が対応しておれば、容易に固定される。もちろん、ベース部を立体的に形成してもよい。
【実施例２】
【００１３】
図２は本考案の説明図であり、ベース部を組み替えた他の実施態様を示すものである。
【産業上の利用可能性】
【００１４】
全体形状を形成するベース部と、文字あるいは模様の一部を構成するプレート部とに分離することにより、マスター型費を最小限に抑えられ、また在庫商品体積を極力小さくした上で、商品バリエーションが豊富な建物用妻飾りを提供することが出来る。
【図面の簡単な説明】
【００１５】
【図１】ベース部とプレート部を組み合わせる様子を示した説明図である。（実施例１）
【図２】ベース部を組み替えた他の実施態様を示す説明図である。（実施例２）
【符号の説明】
【００１６】
１    ベース部
２    プレート部
３    ベース部にプレート部を留め付けた妻飾り
【図１】
0003119319.tif 000003
【図２】
0003119319.tif 000004
(57)【要約】【課題】本考案は木構造材の接合部のしなりやきしみを金物の斜辺または円弧が受け止めつつ柱と一体となって強風や地震の外力に対応することによって軸組みの補強をする。【解決手段】本考案は主として木造軸組み側面に接合され、係止孔を多数穿設された帯金物の平板面を複数以上組みつけてＶ形、Ｘ形、１／４円形、半円形又は三角形を成す構造体の斜辺又は円弧が柱のしなりやきしみを受け止めつつ、柱と一体となって外力に対して補強をする。【選択図】図２
0003119315.tif 000002
【実用新案登録請求の範囲】
【請求項１】
木構造用の軸組み補強金物であって、係止孔を多数穿設された帯金物の平板面を複数以上組み付けて、Ｖ形、Ｘ形、１／４円形、半円形又は三角形を成す構造体を交差する軸組み側面へ接合して、その構造体の斜辺又は円弧でもって補強するのを特徴とする木構造用側接金物
【考案の詳細な説明】
【技術分野】
【０００１】  本考案は、木構造用金物に関するものである。
【背景技術】
【０００２】  木造建築構造材の接合部の補強は筋交いや火打ちで固定するのが一般的であった。
【考案の開示】
【考案が解決しようとす課題】
【０００３】  筋交いでの補強は開口部をとることになるし、改造補強は手間と時間を要し非常に困難な工事となる。古い柱でも取り付け容易な改造補強金物の提供を狙いとするものである。
【問題を解決するための手段】
【０００４】  本考案は柱と梁、柱と土台、梁と胴差し、土台間同士の交差部など、建築物の互いに交差する木造軸組の側面に接合され、柱のしなりやきしみを構造体の斜辺又は円弧が受け止めつつ、柱と一体となって外力に対応することによって、軸組み構造の補強となることによって問題を解決している。
【考案の効果】
【０００５】  上述のように、本考案の木構造用側接金物は構造体に斜辺又は円弧を設けたので、軸組み柱の地震や強風による、しなりやきしみを受け止めつつ、軸組み構造の抜けや、はずれを防ぎ、また古い柱でも比較的容易に対応できる。
【考案を実施するための最良の形態】
【０００６】  Ｖ形、Ｘ形の帯金物の構造体の場合は、組みつけられた構造体の角部を交差する軸組みの一方の柱に、交差する辺の反対の端部を他方の柱に接合する。１／４円形の構造体の場合は一方の半径部を一方の柱に、他方の半径部を他方の柱に接合する。半円形の構造体の場合は直径部を一方の柱に、円弧の中間部を他方の柱に接合する。三角形の構造体の場合は一つの角部を一方の柱に、その角部の対辺部を他方の柱に接合する。接合手段として、ラグスクリューボルト、木工ネジ、ボルト、釘、ドリリングタッピングネジ等の固定手段で固着する。
【実施例１】
【０００７】  以下、添付図面にしたがって一実施例を説明する。１は帯金物の平板部を溶着により組みつけて三角形となした構造体を軸組みの交差部に接合した場合で、一つの角部は一方の柱に、その角部に対する辺部は他方の柱に接合することにより取り付けられた軸組みの柱のしなりやきしみを構造体の斜辺部がうけとめつつ補強する。２は溶着線、３係止孔、４は土台、５は柱、６は筋交い、７は壁である。８は帯金物の平板部をネジ結合により組みつけて三角形となした構造体で前記と同様に軸組み交差部に接合して補強をする。
【実施例２】
【０００８】  １２は帯金物の平板部をネジ結合により組み付けＶ形となした構造体で、２辺をはさむ角部を軸組みの一方の柱に、１３の交差する辺の角に対する端部を他の柱に接合して補強する。
【実施例３】
【０００９】  １４は帯金物の平板部を溶着して組み付け１／４円形となした構造体で、それぞれの半径部１５を一方の柱と他方の柱に接合することにより構造体の円弧部１６で柱のしなりやきしみを受け止めつつ補強をする。
【図面の簡単な説明】
【００１０】
【図１】本考案の帯金物の平板面を溶着により組みつけて三辺で三角形をなす構造体にしたものを軸組み側面へ接合した場合の木構造用側接金物の正面図である。
【図２】本考案の帯金物の平板面をネジ接合により組みつけて三辺で三角形をなす構造体を軸組み側面へ接合した場合の木構造用側接金物の斜視図である。
【図３】本考案の帯金物の平板面をネジ接合により組みつけて二辺でＶ形をなす構造体を軸組み側面へ接合した場合の正面図である。
【図４】本考案の帯金物の平板面を溶着により組みつけて１／４円形を成す構造体を軸組み側面へ接合した場合の木構造用側接金物の正面図である。
【符号の説明】
【００１１】１    溶着により組み付けた三角形をなす構造体
２    溶着線
３    系止孔
４    土台
５    柱
６    筋交い
７    壁
８    ネジ接合により組み付けた三角形をなす構造体
９    ボルト
１０  スプリングワッシャー
１１  座金
１２  ネジ接合により組み付けたＶ形をなす構造体
１３  交差する辺の角に対する端部
１４  溶着により組み付けた１／４円形をなす構造体
１５  半径部
１６  円弧部
【図１】
0003119315.tif 000003
【図２】
0003119315.tif 000004
【図３】
0003119315.tif 000005
【図４】
0003119315.tif 000006
(57)【要約】【目的】バッテング練習において、簡単で効果的な練習ができる構造に関するものである。【構成】バッテング練習において、打ち出されたボウル１の衝撃は、ボウル１設けた、ボウル保持部２とロープ３を装着したときにできる衝撃緩和部４、及びロープ３を装着した衝撃緩和リング５とできた、衝撃緩和部４とで、強打されたボウル１の衝撃を、急速に分散吸収でき、繰り返しのバッテング練習ができる構造にしたものである。【選択図】    図２
0003119985.tif 000002
【実用新案登録請求の範囲】
【請求項１】
ボウル保持部２を取り付けて有するボウル１の、該保持部２に、ロープ３の片方側を衝撃緩和部４をなす空間を空けるように取り付け、ロープ３の他方を、衝撃緩和リング５に装着し、該衝撃緩和リング５を、フレーム７に装着して有するフックリング８に取り付けた構造で、打撃ボウル１の衝撃が、急速に衝撃緩和できるバッテング練習用具。
【考案の詳細な説明】
【考案の詳細な説明】
【産業上の利用分野】
【０００１】  本考案は、校庭の片隅、家庭の庭などで、簡単に装置することが出来、又簡単に効果的に、野球のバッテング練習が出来るようにした構造である。
【背景技術】
【０００２】  従来の野球のバッテング練習は、機械的装置の自動玉発射による玉を打つ、あるいはコーチなどによる手投げ球を打つ、などの練習であった。
【考案が解決しようとする課題】
【０００３】  従来の機械的自動玉発射装置を設置して、自動的に発射されるボウルを打つ練習法は、装置自体が高額で、設置する場合にはかなりの場所が必要となる欠点があり、また手投げによるバッテング練習では、コントロールの良い投げ手が必要と言う欠点があった。
【０００４】  本考案は、大規模な設備、高額な設備、あるいは熟練した投手役などを必要とせず、簡便で効果的な装置を提供して、容易にバッテング練習が出来る構造のもを提供するものである。
【課題を解決するための手段】
【０００５】  本考案のバッテング練習用具では、ボウル自体に、適宜にロープなどに装着できるボウル保持部を設けたものにする。
【０００６】  ロープの両端に衝撃緩和部を設けるようにして、該ロープの片側を、フレームに設けた、フックリングに装着し、ロープの他方をボウルのボウル保持部に取り付けて、ボウルが吊り下がり状態になる構造にして、繰り返しボウルを打てるようにした、バッテング練習用具である。
【実施例】
【０００７】  実施例について、図を参照に説明する。
図１においては、ボウル１にボウル保持部２装着した構造を示したもので、ボウル装着部部２の片側をボウル内の内在させた断面図（ａ）と、ボウル装着部２を、ボウル内を貫通させた構造で装着した断面図（ｂ）である。【０００８】  図２においては、ボウル１に装着したボウル保持部２に、適宜の長さのロープ３の片方側を、衝撃緩和部４を形成するように装着し、ロープ３の他方側に衝撃緩和リング５を付けて、該衝撃緩和リング５を、フレーム６に取り付けて有するフックリング７に適宜に装着して、衝撃緩和部４を形成する構造である。【０００９】  図３は、フレーム６のフックリング７に、ボウル１のボウル保持部２と、ロープ３に衝撃緩和部４を形成されるように装着し、且つ該ロープ３の他方側に装着した衝撃緩和リング５を、フレーム６のフックリングに装着して、吊り下がり状態になった該ボウル１を、バッテング練習している状態を表示したものである。【００１０】  ロープ３は、衝撃に耐えうる素材、例えば細くて柔軟性のある鋼製ワイヤが適し、又フレーム６に取り付けたフックリング７及び衝撃緩和リング５は、金属製で耐久性に優れたものである。
【考案の効果】
【００１１】  本考案は、上記の通り構成されているので、次のような効果がある。
【００１２】  請求項１のバッテング練習用具においては、ボウル１にボウル保持部２を取り付けて、ロープ３の片方側を、衝撃緩和部４を形成させるように、該ボウル保持部２に取り付け、ロープ３の他方側に衝撃緩和リング５を装着し、該衝撃緩和リング５を、フレーム６に装着したフックリング７に適宜に取り付けると、衝撃緩部４が形成され、ボウル１は吊るされた状態の構造となる。
【００１３】  このボウル１を適宜にバッテングしたとき、ボウル保持部２に、ロープ２を取り付けた部位の衝撃緩和部４と、フレーム６のフックリング７に取り付けた衝撃緩和リング５で形成された衝撃緩和部４とで、衝撃波は解消されるのである。
【００１４】  単にボウル１を、紐などに取り付けただけなら、バッテングの衝撃で、紐が絡み、且つボウル１には衝撃が直接及び、ボウル１の劣化が激しく、あるいはボウル１が飛び抜ける危険がある。
【００１５】  本考案の優れた特徴は、バッテング練習において、ボウル１を強打しても、ロープ３の両先端部位に形成された衝撃緩和部４によって、衝撃波は、分散解消されるので、繰り返しのバッテング練習が容易にできる利点がある。
【図面の簡単な説明】
【図１】（ａ）ボウルにボウル保持部を取り付けた１の方法の断面図である。（ｂ）ボウルにボウル保持部を取り付けた２の方法の断面図である。
【図２】ボウルを乱舞防止部を介在させて、衝撃緩和部を有するロープに装着した状態の斜視図である。
【図３】本案バッテング練習用具の、実施斜視図である。
【符号の説明】
１、ボウル
２、ボウル保持部
３、ロープ
４、衝撃緩和部
５、衝撃緩和リング
６、フレーム
７、フックリング
【図１】
0003119985.tif 000003
【図２】
0003119985.tif 000004
【図３】
0003119985.tif 000005
(57)【要約】      （修正有）【課題】ステンレスなどの難削材で、しかも小径となる穴明け加工を効果的に行うことができるドリルの提供。【解決手段】ツイストドリルの先進側切り刃の長さ寸法はそのままで、後進側切り刃の長さ寸法をその凡そ２／３箇所から端縁に到る範囲を３°〜５°の逃げ角で欠損形成させる。【選択図】図１
0003119919.tif 000002
【実用新案登録請求の範囲】
【請求項１】
ツイストドリルの先進側切り刃の長さ寸法はそのままで、後進側切り刃の長さ寸法をその凡そ２／３箇所から端縁に到る範囲を３°〜５°の逃げ角で欠損形成させたことを特徴とする難削材用穴明けドリル。
【請求項２】
直径寸法を５ｍｍ〜３／１００ｍｍとなしたことを特徴とする請求項１記載の難削材用穴明けドリル。
【考案の詳細な説明】
【技術分野】
【０００１】
本考案は、専らステンレス材などの難削材用に好適に使用される穴明けドリルに関する。
【背景技術】
【０００２】
図２は従来に於けるツイストドリルを示すものであって、Ａは正面図、Ｂは側面図である。該図面で１，１は一対の切り刃面、ａ，ａは先端二番面（逃げ面）、ｂ，ｂは先端三番面、ｃ、ｃは二番取り面、ｓ，ｓは二番取り深さであって、夫々れ左右対称に形成されるものとなされる。なお、αは先端角、βは逃げ角であり、矢印方向の回転で綺麗にカールし連続した切りくずがポケット２（溝）に沿って排出されるようになっている。
【特許文献１】特開２００２−１２６９２５
【特許文献１】実開平０６−０７１０１３号
【特許文献１】実公昭６１−０１３２１５号
【考案の開示】
【考案が解決しようとする課題】
【０００３】
上記の如き構成のツイストドリルは直径が５ｍｍ以下、とりわけ１ｍｍ以下の如く小径で、且つ対象物がステンレスの如く難削材の場合は、円滑な穴明け作業が極めて困難であり、即ち現状では即刻な切れ味低下や刃先損傷などのトラブルの発生するものとなっている。本考案者は斯有る現状に鑑み、幾多の実験結果からツイストドリルの一部刃先を特定形状に欠損形成することにより、上記問題点を解決せんとするものである。
【課題を解決するための手段】
【０００４】
本考案はツイストドリルの先進側切り刃の長さ寸法はそのままで、後進側切り刃の長さ寸法をその凡そ２／３箇所から端縁に到る範囲を３°〜５°の逃げ角に欠損形成したことを特徴とする。このさい、ドリル直径を５ｍｍ〜３／１００ｍｍとなしたものが、とりわけ上記課題解決に寄与する上で優れる。
【考案の効果】
【０００５】
請求項１記載の如くドリル先端に於ける後進側切り刃の凡そ２／３箇所から端縁に到る範囲を３°〜５°の逃げ角に欠損形成するものとなしたことは、該部に切削抵抗が収斂されるものとなり、即ち該部で左右一対の２枚刃が同時に受ける切削抵抗が後方へ向け集中して逃げるように作用することから、難削材であっても切り刃が踊ることなく円滑に直進して捩れたりすることのない適確で且つ迅速な穴明け作業を効率良く可能になすことができるのである。
【０００６】
本考案の上記構成は請求項２の如く、とりわけそのドリル直径が５ｍｍ〜３／１００ｍｍの如き小径で、しかも難削材に対する穿孔を行うものに於いて著効を奏するのであり、このさい削り屑が抜け易く発熱が少ないことから刃先寿命が格段に向上するものとなるのである。
【考案を実施するための最良の形態】
【０００７】
図１は本考案に係るツイストドリルを示すものであって、Ａは正面図、Ｂは側面図である。ここで１，１が一対の切り刃面、ａ，ａが先端二番図（逃げ面）、ｂ，ｂが先端三番面、ｃ，ｃが二番取り面、ｓ，ｓが二番取り深さ、αがドリル先端角、βがねじれ角であることは、図２で示した従来例のものと変わりがない。
【０００８】
本考案では上記に於いて、切り刃１，１のうち後進側の切り刃１の凡そ２／３箇所ｐから端縁に到る範囲を凡そ３°〜５°の逃げ角θに欠損形成ｐしたものとなすのである。ここで、上記θはドリル先端角α及びねじれ角βなどが、標準ドリル、強ねじドリル、弱ねじドリルなどで相違することに関連して実験した結果の数値であり、とりわけ該数値は標準ドリル（ねじれ角２２°〜３０°、先端角１１８°〜１３０°）の使用で著効を奏する。
【０００９】
本考案に於いてドリル及び又はワークを回転させ、ドリル先端をワークに押し当てると、先端の二枚刃１，１のうち本考案では後進側切り刃の端縁が一定角度に欠損、即ちその長さ寸法の凡そ２／３箇所から凡そ３°〜５°の逃げ角θで欠損形成ｐさせてあることにより、先端刃に対する後進刃の切削抵抗が微妙に相違されるものとなり、即ち本考案者の具体的な実験結果ではこれにより１／１００〜２／１００粍程度のずれ（遅れ）となって後進側切り刃が先端側切り刃の明け穴内周をガイドにして進行するのである。従って、本考案ではこれにより従来の如く刃先が踊ったりすることがなくなり、安定した穴明け作業を遂行することができるものとなるのである。
【００１０】
なお、本考案に於ける後進側切り刃の逃げ角による欠損形成ｐは切れ刃巾の寸法が前進刃のそれと比較して少し開拡したものとなるため、錐屑が抜け易く、且つ発熱が少ないものとなるのであり、従って耐久性が飛躍的に向上するものとなるのである。而して、このことはとりわけ難削材で小径穴の穴明けに優れるものとなるのであり、ドリル径としては凡そ５ｍｍ〜３／１００ｍｍのものが著効を奏する。
【図面の簡単な説明】
【００１１】
【図１】本考案に係るツイストドリルを示すものであって、Ａは正面図、Ｂは側面図である。
【図２】従来に係るツイストドリルを示すものであって、Ａは正面図、Ｂは側面図である。
【符号の説明】
【００１２】
１      切り刃
ａ      先端二番面
ｂ      先端三番面
ｃ      二番取り面
ｓ      二番取り深さ
α      先端角
β      ねじれ角
θ      逃げ角
２      ポケット
【図１】
0003119919.tif 000003
【図２】
0003119919.tif 000004
(57)【要約】【課題】  人肌に近いゲル状素材等で作られた内芯を軸として設け、それに現実のペットの体毛を貼付することにより、見た目だけでなく、握った感触も現実のペットの尻尾にそっくりであり、それによって人工物では味わえない温もりの感覚、愛しさや、懐かしさ、愛着や親近感を抱かせ、結果としてヒーリングまたはリラクゼーション効果を奏する尻尾型アクセサリーを提供することを課題とする。【解決手段】  ゴムやシリコンや人肌ゲル等の軟質素材を使用して作られた内芯（３）に、横に広がろうとする実毛（６）を縦方向に押さえこむための段差（７）を設け、その内芯（３）に、ペットの実毛（６）を接着剤（５）で束ねた束毛（４）を貼り付け、その内芯（３）の上側中央に紐（１）を通した結合用金具（２）を取り付けるという構成からなる。【選択図】    図２
0003119915.tif 000002
【実用新案登録請求の範囲】
【請求項１】
ゴムやシリコンや人肌ゲル等の軟質素材を使用して作られた内芯（３）に、ペットの実毛（６）を接着剤（５）で束ねた束毛（４）を貼り付けたことを特徴とする尻尾型アクセサリー。
【請求項２】
横に広がろうとする実毛（６）を縦方向に押さえこむために、前記内芯（３）に段差（７）が設けられていることを特徴とする請求項１記載の尻尾型アクセサリー。
【請求項３】
ぶら下げて利用するために、前記内芯の上側中央に紐（１）を通した結合用金具（２）を取り付けたことを特徴とする請求項１または２記載の尻尾型アクセサリー。
【考案の詳細な説明】
【技術分野】
【０００１】
この考案は、尻尾型アクセサリーの形状及び構成に関するものである。
【背景技術】
【０００２】
従来の尻尾型アクセサリーは、毛皮や、それを模した人工の毛が密集した布を筒状に丸めることによって尻尾に似せたものでしかなかった。
【考案の開示】
【考案が解決しようとする課題】
【０００３】
しかしながら、以上の技術によれば、見た目はそれなりに尻尾に見えても、握った感触は現実のペットのものとは全然違っていた。
そこで、この考案は、人肌に近いゲル状素材等で作られた内芯を軸として設け、それに現実のペットの体毛を貼付することにより、見た目だけでなく、握った感触も現実のペットの尻尾にそっくりであり、それによって人工物では味わえない温もりの感覚、愛しさや、懐かしさ、愛着や親近感を抱かせ、結果としてヒーリングないしはリラクゼーション効果を奏する尻尾型アクセサリーを提供することを課題とする。
【課題を解決するための手段】
【０００４】
以上の課題を解決するために、第一考案は、ゴムやシリコンや人肌ゲル等の軟質素材を使用して作られた内芯に、ペットの実毛を接着剤で束ねた束毛を貼り付けたことを特徴とする尻尾型アクセサリーである。
また、第二考案は、ゴムやシリコンや人肌ゲル等の軟質素材を使用して作られた内芯に、横に広がろうとする実毛を縦方向に押さえこむための段差を設けたことを特徴とし、その内芯にペットの実毛を接着剤で束ねた束毛を貼り付けた尻尾型アクセサリーである。
また、第三考案は、ゴムやシリコンや人肌ゲル等の軟質素材を使用して作られた内芯に、横に広がろうとする実毛を縦方向に押さえこむための段差を設け、その内芯にペットの実毛を接着剤で束ねた束毛を貼り付けたものを、ぶら下げて利用するために、その内芯の上側中央に紐を通した結合用金具を取り付けたことを特徴とする尻尾型アクセサリーである。
【考案の効果】
【０００５】
第一考案、または第二考案によれば、内芯がゴムやシリコンやゲル状素材等の人肌に近い物質で作られているために、握った感触が本物の尻尾にそっくりであり、また、ペットの実毛を用いているために手触りもよく、より実感でき、それによってペットとの一体感も得られ、ペットと離れていても寂しさは軽減されるし、またペットが亡くなってしまったとしても、見たり触ったりするごとに、その姿が偲ばれ、心が和むという効果を奏する。
【０００６】
また第三考案によれば、紐を通した結合用金具が内芯の上側中央に取り付けてあるために、その紐によってどこにでも吊るすことができる。尻尾という形状からして見た目も可愛らしく、大きさも適当であるために、その用途は多岐にわたり、車のミラーに吊るすもよし、部屋の柱にぶら下げて眺めるもよし、バックやカバンに付けておくもよし、また子供であればランドセル、お年よりであれば杖にと、いかようにも使うことができる。それによって、より身近なものとなり、心が癒されるなどの精神衛生上極めて有益な効果を奏する。
【考案を実施するための最良の形態】
【０００７】
この考案は、ゴムやシリコンや人肌ゲル等の軟質素材を使用して作られた内芯（３）に、横に広がろうとする実毛（６）を縦方向に押さえこむための段差（７）を設け、その内芯（３）に、ペットの実毛（６）を接着剤（５）で束ねた束毛（４）を貼り付け、その内芯（３）の上側中央に紐（１）を通した結合用金具（２）を取り付けるという構成からなる。
【実施例】
【０００８】
次に、この考案の一実施例を図面２に従って供述すると、内芯（３）の大きさは特に特定するものではない。ただアクセサリーという部類の性質上、極めて大きなもの、長いものは不適切であると推察される。
【０００９】
その内芯（３）に貼り付ける、実毛（６）を接着剤（５）で束ねた束毛（４）の大きさも、特に特定するものではない。ただ束毛（４）が横方向に長いものほど作業は楽である。その束毛（４）を内芯（３）の下部から上部へと密集して貼り付けていく。それが密なほど手触りもよいが、密であれば密なほど、実毛（６）が横方向に広がりやすいので注意が必要である。
【００１０】
それを解消する手立てが、内芯（３）に設けられた段差（７）である。段差（７）は大きい程、広がろうとする実毛（６）を押さえ込む力が強くなる。しかしそれでは握った時の感触が悪くなるので１ｍｍ〜２ｍｍぐらいの段差（７）が適当である。同様に数も、やたらと設けたのでは感触が悪くなる。ただ段差（７）があると、内芯（３）の直径も大きくなり、最終的な大きさのバランスを考慮すると、その分、密に貼り付けていた束毛（４）、その縦方向の間隔を広げられるというメリットもある。それらを総合して鑑みると、内芯（３）の縦方向２ｃｍごとに一つぐらい設けるのが適当であろう。
【００１１】
内芯（３）に取り付ける結合用金具（２）は、上部が紐（１）を通すために円形、もしくは穴状になっており、下部が内芯（３）に差し込みやすいよう細くて先の尖ったものがよい。その材質、大きさは、特に特定はしないが、錆びがくると実毛（６）が汚れるので鉄は用いないほうがよい。また内芯（３）に差し込んだ結合用金具（２）が抜けてしまっては困るので糊等を使用して接着しておいたほうがベストである。
【００１２】
その結合用金具（２）の穴に通して、どこかに吊るしておくための、紐（１）は、通常アクセサリーに使用されている、金属性の鎖状のものや、皮製、もしくは糸を編んである紐等である。
【図面の簡単な説明】
【００１３】
【図１】この考案の一実施例を示す正面図である。
【図２】この考案のＡ−Ａ' 断面図である。
【符号の説明】
【００１４】
１  紐
２  結合用金具
３  内芯
４  束毛
５  接着剤
６  実毛
【図１】
0003119915.tif 000003
【図２】
0003119915.tif 000004
(57)【要約】      （修正有）【課題】作動液の液量の管理が容易な液圧装置の提供。【解決手段】電動モータ１５とこの電動モータ１５により駆動される液圧ポンプ１６とからなる内部構成部品と、液圧ポンプ１６に供給する作動油を収容するタンクＴとを備えた液圧装置であり、タンクＴ内部と連通し、内部の液面がタンクＴ内部の液面と連動する筒状部材１９は、内部の液面が観察可能な透明な樹脂からなり、筒状部材１８内部で軸心に沿って設けれた棒状部材１９の作動液に漬かった部分は、レンズ効果により、拡大されて目視される。【選択図】図３
0003119918.tif 000002
【実用新案登録請求の範囲】
【請求項１】
車載され、少なくとも電動モータとこの電動モータにより駆動される液圧ポンプとからなる内部構成部品と、液圧ポンプに供給する作動油を収容するタンクとを備えた液圧装置において、前記タンク内部と連通し、内部の液面がタンク内部の液面と連動するよう筒状部材を備え、該筒状部材は内部の液面を観察可能な材質からなるとともに、その内部には軸心に沿って棒状部材を設けたことを特徴とする液圧装置。
【考案の詳細な説明】
【技術分野】
【０００１】
本考案は、荷役車輌に好適に搭載される液圧装置に関する。
【背景技術】
【０００２】
従来、車載される油圧装置では、タンク内の作動油の油量が適正であるかどうかを管理する必要があり、例えば、始業前の点検で、タンクの側壁に設けられた油面計で油面の位置を確認することで行われている。
【特許文献１】特開２００４−４４５７０
【考案の開示】
【考案が解決しようとする課題】
【０００３】
しかしながら、車載される場合、車輌の他の部品のレイアウトの影響により、油面計を目視できる範囲は限定されることが多く、図４のような平面的な油面計１０１では、容易に油面確認を行えないことも多い。
【０００４】
そこで、図５のように、タンクＴとは離して、筒状の油面計１０２が取り付けられるものも存在しているが、作動油はほぼ透明であり、油面計１０２の表面が汚れた場合、油面位置がわかりずらい。また、油面計１０２の内部にフロート１０３を入れて、油面に連動するフロート１０３により油面位置を分かり易くする方法もあるが、作動油の粘性が高い場合、フロート１０３が油面計１０２内面に固着して油面が下がってもフロート１０３が下がらない不具合が発生することがある。
【０００５】
本考案は、車載の場合でも、油面計を目視できる範囲が広く、作動油の油量の管理が容易な液圧装置を提供することを目的とする。
【課題を解決するための手段】
【０００６】
本考案は、車載され、少なくとも電動モータとこの電動モータにより駆動される液圧ポンプとからなる内部構成部品と、液圧ポンプに供給する作動油を収容するタンクとを備えた液圧装置において、前記タンク内部と連通し、内部の液面がタンク内部の液面と連動するよう筒状部材を備え、該筒状部材は内部の液面を観察可能な材質からなるとともに、その内部には軸心に沿って棒状部材を設けたことを特徴とする。
【０００７】
しかして、筒状部材内部で、作動液に漬かった棒状部材の部分は、レンズ作用で拡大されて見え、それ以外の棒状部材はそのまま見えるので、液面の把握が可能となり、その目視できる範囲は、タンク側面側方向を除き、筒状部材を軸として約１８０度である。
【考案の効果】
【０００８】
本考案では、車載のレイアウトの影響で従来、油面計を目視できる範囲に制限が多い場合であっても、タンクの側壁から離れた位置の筒状部材で作動油の油面を確認できるので、油面の目視できる範囲は著しく拡大する。また、フロートを使用しないので、その固着による不具合もなく、粘性の高い作動液の使用も可能である。
【考案を実施するための最良の形態】
【０００９】
以下に本実施例について図１〜３を用いて述べる。
図１に示したように、この種の液圧装置１０は、荷役車輌１１の後輪１２とテールゲート１３との間のシャーシ１４等に固定されることが多く、周囲は車輌の他の部品に囲まれている。そして、貨物の上げ下ろしに使用されるテールゲート１３の油圧シリンダに液圧装置から作動液が供給されるように配管される。
【００１０】
そして、図２に示したように、液圧装置１０は、電動モータ１５とこの電動モータ１５により駆動される液圧ポンプ１６などの内部構成部品が、液圧ポンプ１６に供給する作動油を収容するタンクＴとカバー１７に囲まれて構成される。
【００１１】
また、タンクＴの側壁には、タンクＴ内部と連通し、内部の液面がタンク内部の液面と連動するよう筒状部材１８を備えている。さらに、このような筒状部材１８は、内部を観察可能な透明な部材で強度も備えた樹脂、特にポリカーボネートで形成されるとともに、内部には略軸心に沿って棒状部材１９が立設されており、これら部材によって油面計が構成されている。なお、後述するように、筒状部材内部で、作動液が漬かった部分でレンズ作用を発揮させるため、筒状部材１８は、断面が円筒のものが使用される。
【００１２】
そして、図３に示したように、タンクＴ内に作動油が収容される場合、タンクＴ内と筒状部材１８内部の液面が略同一になるように、筒状部材１８にも作動液が収容され、作動液が存在する範囲では、レンズ作用により、棒状部材１９が実際の太さよりも太く見える一方、作動液が存在しない範囲では、棒状部材１９は実際の太さで見えるので、その太さの境界により、液面を把握することができる。
【００１３】
また、棒状部材１９を着色することで、その太さの認識が容易になる。特に、本実施例では、棒状部材１９を赤色に着色することで、見やすくしているが、識別の容易な他の色を使用してもよい。
【図面の簡単な説明】
【００１４】
【図１】本考案の液圧装置を搭載した荷役車輌の概略構成図。
【図２】本実施例の液圧装置の概略構成図。
【図３】本実施例の液圧装置でタンクに所定の作動液を収容した状態を示す概略構成図。
【図４】従来の液圧装置を示す概略構成図。
【図５】従来の液圧装置を示す概略構成図。
【符号の説明】
【００１５】
１０  液圧装置
１１  荷役車輌
１２  後輪
１３  テールゲート
１４  シャーシ
１５  電動モータ
１６  液圧ポンプ
１７  カバー
１８  筒状部材
１９  棒状部材
Ｔ  タンク
【図１】
0003119918.tif 000003
【図２】
0003119918.tif 000004
【図３】
0003119918.tif 000005
【図４】
0003119918.tif 000006
【図５】
0003119918.tif 000007
(57)【要約】      （修正有）【課題】帽子のファッション性を崩すことなく見た目にも自然な装着感で且つ簡単に装着でき、装着時に風などや、日常のさまざまな動きからの帽子の脱落を気にすることなく、子どもからお年寄りまで幅広い年齢層の方に使うことができ、また布の特性により内側リボンともにコンパクトに携帯、収納できるファッション性、機能性、実用性ともに優れた帽子を提供する。【解決手段】帽子の内側の部分に伸縮性を有する布製の内側リボンを縫い付け、その用縁部にゴム紐を通す。【選択図】図３
0003119972.tif 000002
【実用新案登録請求の範囲】
【請求項１】
頭部が被さる帽状部とこの帽状部の内側の全周に露呈しない様に縫い付けられると共に伸縮性を有する布製の内側リボンと更にこの内側リボンの用縁部にその伸縮性に付随するゴム紐を備えたことを特徴とした帽子。
【請求項２】
ゴム紐を無端のリング状としたことを特徴とした請求項１記載の帽子。
【請求項３】
ゴム紐を一定長さとして内側リボンの用縁部に間隔をおいて複数本備えたことを特徴とした請求項１記載の帽子。
【請求項４】
内側リボンの全周に亘ってひだを形成して伸縮性を持たせたことを特徴とした請求項１〜３記載の帽子。
【請求項５】
内側リボンをメッシュ状の布製としたことを特徴とする請求項１〜４記載の帽子。
【考案の詳細な説明】
【技術分野】
【０００１】
本考案は、サイズの調節が不要で風などによって飛ばされにくく頭にフィットし、日常のさまざまな動きからも脱げにくいしかけとなる内側リボンとゴム紐を備えた帽子に関するものである。
【背景技術】
【０００２】
従来の帽子については、風に飛ばされて落ちるなどの防止として、顎にゴムのついているもの、頭に固定されるようにサイズ調節をするため、帽子の後ろ部分にサイズを調節するしかけのあるもの、風に飛ばされないよう、襟と帽子をクリップで留めるもの、更に帽子の内側にカチュウシャを取り付けたものなどがある。
【考案の開示】
【考案が解決しようとする課題】
【０００３】
従来の技術について、顎にゴムを付けるは、脱げやすさの防止にはなるが、ファッション性を考えると好ましくない点もある。後ろ部分のサイズ調整については、ぴったりとしたサイズがない場合、フィットせず、安定感に欠けるという点も考えられる。襟と帽子をクリップで留めるは、ファッション性はあるが、脱げやすさの防止としてはまだ不完全であり、カチュウシャは破損するという問題点があった。
【課題を解決するための手段】
【０００４】
本考案は、帽状部の内側の全周に伸縮性を有する内側リボンを縫い付け、更にその内側リボンの用縁部にゴム紐を取り付け、ゴムの輪を頭にかぶせるように装着することで髪を押さえ、また、この布製の内側リボンが、帽子と髪の間の隙間を自然にうめるので、より頭にフィットし、脱げにくく、外見上も目立ちにくい。サイズの調節も不要でまた帽子の型崩れや破損を気にすることなくコンパクトに携帯でき、これら上記の課題を解決するものである。
【考案の効果】
【０００５】
（１）請求項１によりこの布製の内側リボンとゴム紐の効果で髪を押さえ、帽子と髪の間の隙間を自然にうめるのでより頭にフィットし、脱げにくく、外見上も目立ちにくい。
（２）請求項２により頭全体に均一にフィットし、安定した装着感を保つことができる。
（３）請求項３により部分的に押さえたいところだけを選んで頭により優しいフィット感を持たせる。
（４）請求項４により頭まわりにゆとりをつくり、帽子と髪の間に更にクッション性を持たせることができる。
（５）請求項５により伸縮性、通気性ともに優れた布の特性を生かすことができる。
【考案を実施するための最良の形態】
【０００６】
図１、図２に示す如く、布製の内側リボン１は、通気性、伸縮性を考慮してメッシュ生地を使い、色は、髪に合わせた黒などや、または、帽子３の内側の色に合わせて目立たない色が望ましい。
また、ゴム紐６の劣化を考えて、内側リボン１の端の部分を縫ってゴム紐６を通すことが出来るようにする。ゴム紐の取替口２は、１箇所かまたは簡単に通しやすいように２箇所から通すことができるようにしている。
【０００７】
図３、図４に示すようにゴム紐６を無端のリング状とし、帽子３の内側部分に縫い付ける。
ゴム紐６は伸縮性のある丈夫なものを選ぶが、帽子３のサイズと自然な装着感が持てるように考慮して長さを決める。
【０００８】
図１〜５に示した帽子の内側リボン１は、装着時には露呈しないように帽状部３の内側に押し込むように装着し、髪と帽子の間の隙間を自然に埋めるようにする。
【実施例１】
【０００９】
図５に示す如く、ゴム紐６を一定長さとして内側リボン１にひだをよせ、その用縁部に間隔をおいて複数本備えてもよい。
【図面の簡単な説明】
【００１０】
【図１】（Ａ）は  本考案に係る内側リボンの斜視図    （Ｂ）は同上の底面図
【図２】ゴム紐を備えていない状態の斜面図
【図３】同上のゴム紐を備えた状態の斜面図
【図４】同上のゴム紐を備えた状態の底面図
【図５】内側のリボンの異なる実施例を示す斜面図
【符号の説明】
【００１１】
１  内側リボン
２  ゴム取替口
３  帽状部
４  つばの部分
５  帽状部（裏面）
６  ゴム紐
７  内側リボンのひだ
【図１】
0003119972.tif 000003
【図２】
0003119972.tif 000004
【図３】
0003119972.tif 000005
【図４】
0003119972.tif 000006
【図５】
0003119972.tif 000007
(57)【要約】      （修正有）【課題】カラーコーン本体を設置する周りの環境や状況に違和感を与えない表示機能を持たせる。【解決手段】カラーコーン本体１に☆や花または景色、動物、人間の他に色々な形の絵柄を貫通した穴によって描くことで周りの環境に合せられる設置が出来る、さらに、下面を大きく開口させた円錐状の透明プラスチックシートをカラーコーン本体１の上から被せられ、又は、カラーコーン本体１の内側に挿し込められることで、絵柄を貫通した穴の縁による怪我を塞ぐ安全なカラーコーン本体１の設置に役立つ。【選択図】図１
0003119973.tif 000002
【実用新案登録請求の範囲】
【請求項１】
カラーコーン本体に☆や花または景色、動物、人間の他に色々な形の絵柄を貫通した穴によって描かれたことを特徴とする絵柄を貫通した穴によって描かれたカラーコーン
【請求項２】
カラーコーン本体の上から被せられ、又は、カラーコーン本体の内側に挿し込められることを特徴とする下面を大きく開口させた円錐状の透明プラスチックシート
【考案の詳細な説明】
【技術分野】
【０００１】  本考案は、歩行者や車両に注意を促す事や、規制する為の道路や駐車場などに設置されるカラーコーンに、スポーツ施設の競技の現場に設置しても周りの環境や状況に配慮した違和感の無い表示機能を持たせたカラーコーンに関するものである。
【背景技術】
【０００２】  従来のカラーコーンは目立つ為に色合いの違う着色が施された物が多く市販されており、これらの物が複数並べられて設置されることが多いが自然を楽しむ行楽地の駐車場などでは、周りの環境との違和感が大きく、せっかくの自然環境が壊されていた、又、サッカーなどスポーツ施設で使用されているカラーコーンまでが道路や駐車場で使用する物と同じ色やデザインで有った。
【考案の開示】
【考案が解決しようとする課題】
【０００３】  絵柄を貫通した穴によって描かれたカラーコーン本体であれば、歩行者や車両に注意を促す事や規制する目的を損なわずに、設置した周りの環境や状況に違和感を与えなくすることが可能になり、前述の欠点を解決しようとするものである。
【課題を解決するための手段】
【０００４】  本考案は、カラーコーン本体が設置される場所の環境や状況に合わせた絵柄を貫通した穴によって描くことで、歩行者や車両またはスポーツ施設での競技者の注目を集められる、尚、下面を大きく開口させた円錐状の透明プラスチックシートをカラーコーン本体の上から被せられ、又は、カラーコーン本体の内側に挿し込められることで、絵柄を貫通した穴の縁による怪我を塞ぐことにより、問題点を解決している。
【考案の効果】
【０００５】  上述の様に、本考案の絵柄を貫通した穴によって描かれたカラーコーンは、設置される場所の環境に合わせた絵柄を貫通した穴によって描くことで、歩行者や車両またはスポーツ施設の競技者の注目を集められ、カラーコーンの目的を最大限発揮することに役立つ。
【考案を実施するための最良の形態】
【０００６】  カラーコーン本体に☆や花または景色、動物、人間の他に色々な形の絵柄を貫通した穴によって描かれたカラーコーン本体は、設置される場所の環境や状況に合わせられることで歩行者や車両またはスポーツ施設の競技者の注目を集められる、尚、下面を大きく開口させた円錐状の透明プラスチックシートをカラーコーン本体の上から被せられ、又は、カラーコーン本体の内側に挿し込められることで、絵柄を貫通した穴の縁による怪我を塞ぐことが可能となる。
【実施例】
【０００７】  以下、添付図面に従って一実施例を説明する。カラーコーン本体１に☆や花または景色、動物、人間の他に色々な形の絵柄を貫通した穴３によって描かれたカラーコーン本体１は、設置される場所の環境や状況に合わせられることで歩行者や車両またはスポーツ施設の競技者の注目を集められる、尚、下面を大きく開口させた円錐状の透明プラスチックシート２をカラーコーン本体１の上から被せられ、又は、カラーコーン本体１の内側に挿し込められることで、絵柄を貫通した穴３の縁による怪我を塞ぐことが可能となる。
【図面の簡単な説明】
【０００８】
【図１】本考案の絵柄を貫通した穴によって描かれたカラーコーンの実施例を横から見た図である。
【図２】下面を大きく開口させた円錐状の透明プラスチックシートを横から見た図である。
【図３】上述の（図１）の斜視図である。
【符号の説明】
【０００９】１  カラーコーン本体
２  下面を大きく開口させた円錐状の透明プラスチックシート
３  絵柄を貫通した穴
【図１】
0003119973.tif 000003
【図２】
0003119973.tif 000004
【図３】
0003119973.tif 000005
【手続補正書】
【提出日】平成17年12月12日(2005.12.12)
【手続補正１】
【補正対象書類名】実用新案登録請求の範囲
【補正対象項目名】全文
【補正方法】変更
【補正の内容】
【実用新案登録請求の範囲】
【請求項１】
カラーコーン本体に☆や花または景色、動物、人間の他に色々な形の絵柄を貫通し穴によって描かれたことを特徴とする絵柄を貫通した穴によって描かれたカラーコーン
【請求項２】
カラーコーン本体の上から被せられ、又は、カラーコーン本体の内側に挿し込められる、下面を大きく開口させた円錐状の透明プラスチックシートを有することを特徴とする請求項１記載のカラーコーン